(57)【要約】【課題】積載トレイの角度を調整することで、排出された原稿の整列性を向上したり、原稿の給紙性能を向上したりする技術を提供する。【解決手段】本体と、前記本体の排出口に原稿を搬送する搬送手段と、前記本体内に収容され、前記本体から引き出されて前記排出口から排出される原稿を受ける積載トレイとを備え、前記積載トレイは、前記本体から引き出された第１の位置において前記本体に設けられた第１突き当て部に当接する第１当接部を有し、前記積載トレイの先端が前記原稿の積載面側に向かう第１の方向に回動されることで、前記第１当接部と前記第１突き当て部との当接状態が解除され、前記第１の位置からさらに引き出された第２の位置において、前記積載トレイの第２当接部と前記本体に設けられた第２突き当て部とが当接し、前記第１の位置と前記第２の位置とで、前記本体に対する前記積載トレイの角度が異なることを特徴とする。【選択図】図１２
2020164293.tif 000002
【特許請求の範囲】
【請求項１】
本体と、
前記本体の給紙口から排出口との間で原稿を搬送する搬送手段と、
前記本体内に収容され、前記本体から引き出されて原稿を積載可能な積載トレイと
を備え、
前記積載トレイは、
前記本体から引き出された第１の位置において前記本体に設けられた第１突き当て部に当接する第１当接部を有し、
前記積載トレイの先端が前記原稿の積載面側に向かう第１の方向に回動されることで、前記第１当接部と前記第１突き当て部との当接状態が解除され、
前記第１の位置からさらに引き出された第２の位置において、前記積載トレイの第２当接部と前記本体に設けられた第２突き当て部とが当接して前記積載トレイが保持され、
前記第１の位置と前記第２の位置とで、前記本体に対する前記積載トレイの角度が異なることを特徴とする原稿搬送装置。
【請求項２】
前記第２の位置においては、前記第２当接部と前記第２突き当て部とが当接することで、前記第１の方向と反対の第２の方向への前記積載トレイの回動が規制されることを特徴とする請求項１に記載の原稿搬送装置。
【請求項３】
前記積載トレイの引き出し方向において、前記第１突き当て部よりも前記積載トレイの回動中心の方が前記積載トレイの先端側に位置し、
前記本体が載置される載置面と前記第１の位置における前記積載トレイとがなす角よりも、前記載置面と前記第２の位置における前記積載トレイとがなす角の方が大きいことを特徴とする請求項２に記載の原稿搬送装置。
【請求項４】
前記本体において前記積載トレイを収容する収容部の内面のうちの上面から下方に突出し、前記第１突き当て部が設けられた突出部を有し、
前記第１の位置において、前記第１当接部が前記第１突き当て部に当接することで前記積載トレイの移動が規制され、
前記第１の位置において前記第１の方向に前記積載トレイの先端が回動されて、前記第１当接部と前記第１突き当て部とが前記積載トレイの引き出し方向で重ならない位置において、前記積載トレイが前記本体から引き出されて前記第２の位置に到達し、
前記第２の位置においては、前記突出部と前記第１当接部とが前記第１の方向で重なることを特徴とする請求項１から３のいずれか一項に記載の原稿搬送装置。
【請求項５】
前記積載トレイは、下面側から前記積載面側に突出する突出部を有し、
前記第１当接部と前記第２当接部は前記突出部に一体に設けられていることを特徴とする請求項１から４のいずれか一項に記載の原稿搬送装置。
【請求項６】
前記積載トレイは、前記本体に設けられた摺動面に対し摺動する抜け止め部を中心として前記第１の方向に回動可能であることを特徴とする請求項１から５のいずれか一項に記載の原稿搬送装置。
【請求項７】
前記第１突き当て部と前記第１当接部との当接部における少なくとも一方には第１円弧形状が形成され、前記第１円弧形状の中心と、前記積載トレイの回動中心とが一致することを特徴とする請求項６に記載の原稿搬送装置。
【請求項８】
前記積載トレイが前記第１の位置から前記第２の位置に引き出される際に、前記本体において前記積載トレイを収容する収容部の内面のうちの上面から下方に突出した凸形状を乗り越えるクリック部を有し、
前記クリック部は、前記積載トレイが前記第１の方向に回動される際に前記凸形状に沿う第２円弧形状を有し、
前記第２円弧形状の中心と、前記積載トレイの回動中心とが一致することを特徴とする請求項１から７のいずれか一項に記載の原稿搬送装置。
【請求項９】
前記クリック部は、前記積載トレイが前記第１の方向に回動される間、前記凸形状に当接し、前記積載トレイが引き出し方向と反対方向へ移動することを規制することを特徴とする請求項８に記載の原稿搬送装置。
【請求項１０】
前記積載トレイに対して引き出し可能に設けられた延長トレイを有することを特徴とする請求項１から９のいずれか一項に記載の原稿搬送装置。
【請求項１１】
前記積載トレイは、前記本体における前記排出口の下方に収容された排出トレイであり、
前記排出トレイは、前記本体の載置面と平行に引き出されることを特徴とする請求項１から１０のいずれか一項に記載の原稿搬送装置。
【発明の詳細な説明】
【技術分野】
【０００１】
本発明は、原稿を搬送する搬送装置に関する。
【背景技術】
【０００２】
複写機、スキャナ、プリンタ等において、複数枚のシートを１枚ずつ搬送する機構を備えたものが知られている。例えば、スキャナではチェック、ドキュメント等の原稿束が原稿台上に載置され、給紙機構によりこれを１枚ずつ分離して搬送しながら、原稿の画像を読み取る画像読取装置が知られている。
【先行技術文献】
【特許文献】
【０００３】
【特許文献１】特開２０１４−７２５６４号公報
【発明の概要】
【発明が解決しようとする課題】
【０００４】
特許文献１に開示されている装置は、筐体のシート排出口側に排出トレイが設けられている。これにより、排出されるシートを受けて整列性を向上している。
【０００５】
しかしながら、特許文献１にある排出トレイに対して排出する紙の種類によっては必ずしも整列性よくシートを受けることが出来ないという課題があった。また、筐体内に給送するシートを積載する給送トレイにおいても、好適な角度でシートを積載することによって給紙性能を向上したいという要求があった。
【課題を解決するための手段】
【０００６】
以上を鑑み、本発明に係る原稿搬送装置は、
本体と、
前記本体の給紙口と排出口との間で原稿を搬送する搬送手段と、
前記本体内に収容され、前記本体から引き出される積載トレイと
を備え、
前記積載トレイは、
前記本体から引き出された第１の位置において前記本体に設けられた第１突き当て部に当接する第１当接部を有し、
前記積載トレイの先端が前記原稿の積載面側に向かう第１の方向に回動されることで、前記第１当接部と前記第１突き当て部との当接状態が解除され、
前記第１の位置からさらに引き出された第２の位置において、前記積載トレイの第２当接部と前記本体に設けられた第２突き当て部とが当接し、
前記第１の位置と前記第２の位置とで、前記本体に対する前記積載トレイの角度が異なることを特徴とする。
【発明の効果】
【０００７】
本発明によれば、積載トレイの角度を容易に調整することができる。例えば、積載トレイが排出トレイの場合には、排出された原稿の整列性を向上でき、積載トレイが給紙トレイの場合には、原稿の給紙性能を向上することができる。
【図面の簡単な説明】
【０００８】
【図１】本発明の一実施形態に係る画像読取装置の概略図。
【図２】図１の画像読取装置の制御ユニットのブロック図。
【図３】本発明の一実施形態に係る画像読取装置の概略側面図。
【図４】本発明の一実施形態に係る画像読取装置の概略側面図。
【図５】本発明の一実施形態に係る画像読取装置の要部断面図。
【図６】本発明の一実施形態に係る画像読取装置の画像読取ユニットの断面図。
【図７】本発明の一実施形態に係る画像読取装置の概略側面図。
【図８】本発明の一実施形態に係る画像読取装置の概略正面図。
【図９】本発明の一実施形態に係る画像読取装置の断面図。
【図１０】本発明の一実施形態に係る第１排出トレイの斜視図。
【図１１】本発明の一実施形態に係る画像読取装置の断面図。
【図１２】本発明の一実施形態に係る画像読取装置の要部断面図。
【図１３】本発明の一実施形態に係る画像読取装置の概略側面図。
【図１４】本発明の一実施形態に係る画像読取装置の概略正面図。
【図１５】本発明の他の実施形態に係る画像読取装置の概略断面図。
【発明を実施するための形態】
【０００９】
（実施例１）
図１は本発明の一実施形態に係る画像読取装置Ａの概略図である。本実施形態においては、原稿搬送装置に一例として画像読取装置Ａを例に挙げて説明する。
【００１０】
＜装置の構成＞
画像読取装置Ａは、載置台１に積載された１つ又は複数の搬送媒体Ｓを１つずつ本体内の経路ＲＴに沿って給紙口から排出口まで搬送してその画像を読み取り、排出トレイ２（積載トレイ）に排出する装置である。読み取る搬送媒体Ｓは、例えば、ＯＡ紙、チェック、小切手、名刺、カード類等のシートであり、厚手のシートであっても、薄手のシートであってもよい。カード類は、例えば、保険証、免許証、クレジットカード等を挙げることができる。搬送媒体Ｓには、また、パスポートなどの冊子も含まれる。冊子を対象とする場合、ホルダ２００を用いることができる。透明なホルダ２００に見開き状態の冊子を収容して載置台１に載置することで、冊子がホルダ２００と共に搬送され、その画像を読み取ることができる。
【００１１】
＜給紙＞
経路ＲＴに沿って搬送媒体Ｓを給送する給送機構としての第１搬送部１０が設けられている。第１搬送部１０は本実施形態の場合、送りローラ１１と、送りローラ１１に対向配置される分離ローラ１２と、を備え、載置台１上の搬送媒体Ｓを搬送方向Ｄ１に一つずつ順次搬送する。送りローラ１１には、モータ等の駆動部３から伝達部５を介して駆動力が伝達され、図中矢印方向（経路ＲＴに沿って搬送媒体Ｓを搬送させる正方向）に回転駆動される。伝達部５は例えば電磁クラッチであり、駆動部３からの送りローラ１１への駆動力を断続する。
【００１２】
＜駆動部＞
駆動部３と送りローラ１１とを接続する伝達部５は、例えば、本実施形態では、通常時において駆動力が伝達される状態とし、搬送媒体Ｓを逆送または停止する場合には駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
【００１３】
＜分離構造＞
送りローラ１１に対向配置される分離ローラ１２は、搬送媒体Ｓを１つずつ分離するためのローラであり、送りローラ１１に対して一定圧で圧接している。この圧接状態を確保するため、分離ローラ１２は揺動可能に設けると共に送りローラ１１へ付勢されるように構成される。分離ローラ１２は、トルクリミッタ１２ａを介して駆動部３から駆動力が伝達され、実線矢印方向（送りローラ１１の正方向とは逆方向））に回転駆動される。
【００１４】
分離ローラ１２はトルクリミッタ１２ａにより駆動力伝達が規制されるため、送りローラ１１と当接している際は送りローラ１１に連れ回りする方向（破線矢印方向）に回転する。これにより、複数の搬送媒体Ｓが送りローラ１１と分離ローラ１２との圧接部に搬送されてきた際には、１つを残して２つ以上の搬送媒体Ｓが下流に搬送されないようにせき止められる。
【００１５】
なお、本実施形態では分離ローラ１２と送りローラ１１とで分離機構を構成したが、このような分離機構は必ずしも設けなくてもよく、経路ＲＴに搬送媒体Ｓを１つずつ順次給送する給送機構であればよい。また、分離機構を設ける場合においては、分離ローラ１２のような構成の代わりに、搬送媒体Ｓに摩擦力を付与する分離パッドを送りローラ１１に圧接させて、同様の分離作用を持たせるようにしてもよい。
【００１６】
＜搬送構造＞
第１搬送部１０の搬送方向下流側にある搬送機構としての第２搬送部２０は、駆動ローラ２１と、駆動ローラ２１に従動する従動ローラ２２とを備え、第１搬送部１０から搬送されてきた搬送媒体Ｓをその下流側へ搬送する。駆動ローラ２１にはモータ等の駆動部４から駆動力が伝達され、図中矢印方向に回転駆動される。従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。
【００１７】
このような第２搬送部２０よりも搬送方向下流側にある第３搬送部３０は、駆動ローラ３１と、駆動ローラ３１に従動する従動ローラ３２とを備え、第２搬送部２０から搬送されてきた搬送媒体Ｓを排出トレイ２へ搬送する。つまり、この第３搬送部３０は排出機構として機能する。
【００１８】
駆動ローラ３１にはモータ等の駆動部４から駆動力が伝達され、図中矢印方向に回転駆動される。従動ローラ３２は駆動ローラ３１に対して一定圧で圧接し、駆動ローラ３１に連れ回る。この従動ローラ３２は、バネ等の付勢ユニット（不図示）によって駆動ローラ３１に対して付勢された構成としてもよい。
【００１９】
排出トレイ２は、画像読取装置Ａに対して摺動可能なように、画像読取装置Ａの下方に支持されており、本体１００に取り付けられた第１の排出トレイ１５１と第１の排出トレイ１５１に取り付けられた第２の延長トレイ１５２を備えている。第２の排出トレイ１５２は、第１の排出トレイ１５１の先端側に接続された第１の延長トレイ１５３、第２の延長トレイ１５４とから構成されている。第１の延長トレイ１５３は第１の排出トレイ１５１に対して摺動可能に支持されており、第２の延長トレイ１５４は第１の延長トレイ１５３に対して摺動可能に支持されている。
【００２０】
＜画像読取構造、制御＞
ここで、本実施形態の画像読取装置Ａでは、第２搬送部２０と第３搬送部３０との間に配置される画像読取ユニット７０によって画像の読み取りを行うため、第２搬送部２０及び第３搬送部３０は搬送媒体Ｓを定速搬送する。搬送速度は常に第１搬送部１０の搬送速度以上とすることで、先行搬送媒体Ｓに後続搬送媒体Ｓが追いついてしまう事態を確実に回避できる。例えば、本実施形態では、第２搬送部２０及び第３搬送部３０による搬送媒体Ｓの搬送速度を、第１搬送部１０による搬送媒体Ｓの搬送速度よりも速くなるように速度制御するようにしている。
【００２１】
なお、第２搬送部２０及び第３搬送部３０による搬送媒体Ｓの搬送速度と、第１搬送部１０による搬送媒体Ｓの搬送速度とを同一条件とした場合もしくは第２搬送部２０や第３搬送部３０よりも第１搬送部１０による搬送媒体Ｓの搬送速度を速く速度制御する場合でも、駆動部３を制御して後続搬送媒体Ｓの給送開始タイミングを間欠的にずらすことにより先行搬送媒体Ｓと後続搬送媒体Ｓとの間に最低限の間隔を形成することも可能である。
【００２２】
＜重送検出＞
第１搬送部１０と第２搬送部２０との間に配置される重送検出センサ４０は、静電気等で紙などの搬送媒体Ｓ同士が密着し、第１搬送部１０を通過してきた場合（つまり重なって搬送される重送状態の場合）に、これを検出するための検出センサ（シートの挙動や状態を検出するセンサ）の一例である。重送検出センサ４０としては、種々のものが利用可能であるが本実施形態の場合には超音波センサであり、超音波の発信部４１とその受信部４２とを備え、紙等の搬送媒体Ｓが重送されている場合と１つずつ搬送されている場合とで、搬送媒体Ｓを通過する超音波の減衰量が異なることを原理として重送を検出する。
【００２３】
＜レジストセンサ＞
このような重送検出センサ４０よりも搬送方向下流側に配置される媒体検出センサ５０は第２搬送部２０よりも上流側で、第１搬送部１０よりも下流側に配置された搬送路ＲＴ上流側の検出センサ（シートの挙動や状態を検出するセンサ）としての一例であり、第１搬送部１０により搬送される搬送媒体Ｓの位置、詳細には、媒体検出センサ５０の検出位置に搬送媒体Ｓの端部が到達又は通過したか否かを検出する。媒体検出センサ５０としては、種々のものが利用可能であるが、本実施形態の場合には光学センサであり、発光部５１とその受光部５２とを備え、搬送媒体Ｓの到達又は通過により受光強度（受光量）が変化することを原理として搬送媒体Ｓを検出する。
【００２４】
本実施形態の場合、搬送媒体Ｓの先端が媒体検出センサ５０で検出された時点で、搬送媒体Ｓが重送検出センサ４０により重送を検出可能な位置に到達しているように、上記の媒体検出センサ５０は重送検出センサ４０の近傍においてその下流側に設けられている。なお、この媒体検出センサ５０は、上記の光学センサに限定されず、例えば、搬送媒体Ｓの端部が検知できるセンサ（イメージセンサ等）を用いてもよいし、経路ＲＴに突出したレバー型のセンサでもよい。
【００２５】
媒体検出センサ５０とは別の媒体検出センサ６０が画像読取ユニット７０よりも上流側に配置されている。第２搬送部２０よりも下流側に配置された下流側の検出センサとしての一例であり、第２搬送部２０により搬送される搬送媒体Ｓの位置を検出する。媒体検出センサ６０としては、種々のものが利用可能であるが、本実施形態の場合、媒体検出センサ５０と同様に光センサであり、発光部６１と受光部６２とを備え、搬送媒体Ｓの到達又は通過により受光強度（受光量）が変化することを原理として搬送媒体Ｓを検出する。なお、本実施形態では、第２搬送部２０の搬送方向上流側と下流側のそれぞれに媒体検出センサ５０、６０を配置したが、何れか一方だけでもよい。
【００２６】
＜ＣＩＳの配置＞
媒体検出センサ６０よりも下流側にある画像読取ユニット７０は、例えば、光学的に走査し、電気信号に変換して画像データとして読み取るものであり、内部にＬＥＤ等の光源、イメージセンサ、レンズアレー等を備えている。本実施形態の場合、画像読取ユニット７０は経路ＲＴの両側に一つずつ配置されており、搬送媒体Ｓの表裏面を読み取る。しかし、経路ＲＴの片側にのみ一つ配置して、搬送媒体Ｓの片面のみを読み取る構成としてもよい。また、本実施形態では、画像読取ユニット７０を経路ＲＴの両側に対向配置した構造としているが、例えば、経路ＲＴの方向に間隔をあけて配置してもよい。
【００２７】
＜ブロック図の説明＞
図２を参照して制御部８０について説明する。図２は画像読取装置Ａの制御部８０のブロック図である。
【００２８】
制御部８０はＣＰＵ８１、記憶部８２、操作部８３、通信部８４及びインターフェース部８５を備える。ＣＰＵ８１は記憶部８２に記憶されたプログラムを実行することにより、画像読取装置Ａ全体の制御を行う。記憶部８２は例えばＲＡＭ、ＲＯＭ等から構成される。操作部８３は、例えば、スイッチやタッチパネル等で構成され、操作者からの操作を受け付ける。
【００２９】
通信部８４は、外部装置との情報通信を行うインターフェースである。外部装置としてＰＣ（パソコン）を想定した場合、通信部８４としては、例えば、ＵＳＢインターフェースやＳＣＳＩインターフェースまたは有線ＬＡＮ接続のネットワークインターフェースを挙げることができる。また、このような有線通信のインターフェースの他、通信部８４は無線通信のインターフェースとしてもよく、有線通信、無線通信の双方のインターフェースを備えていてもよい。
【００３０】
インターフェース部８５はアクチュエータ８６やセンサ８７とのデータの入出力を行うＩ／Ｏインターフェースである。アクチュエータ８６には、駆動部３、駆動部４、伝達部５等が含まれる。センサ８７には、重送検出センサ４０、媒体検出センサ５０及び６０、画像読取ユニット７０等が含まれる。
【００３１】
＜ＰＣからの開始指示受信による駆動＞
画像読取装置Ａの基本的な動作について説明する。制御部８０は、例えば画像読取装置Ａが接続された外部パソコンから画像読み取りの開始指示を受信すると、第１乃至第３搬送部１０乃至３０の駆動を開始する。載置台１の積載面に積載された搬送媒体Ｓはその最も下に位置する搬送媒体Ｓから１つずつ搬送される。
【００３２】
また、後述するように、画像読取装置Ａの操作部８３に設けられたスタートキーによって画像の読み取りを開始し、その後画像読取の開始を外部パソコンに通知したり、スタートキーが押されたことを外部パソコンが検知すると開始指示が外部パソコンから送信されるようにしたりしてもよい。
【００３３】
＜重送時の制御＞
搬送の途中で搬送媒体Ｓは重送検出センサ４０により重送の有無が判定され、重送が無いと判定されると搬送が継続される。なお、重送があると判定された場合には、搬送を停止するか、第１搬送部１０による後続搬送媒体Ｓの取り込みを停止して、重送状態にある搬送媒体Ｓをそのまま排出するようにしてもよい。
【００３４】
＜レジストセンサの出力に応じた読取開始＞
制御部８０は、媒体検出センサ６０の検出結果に基づくタイミングで、第２搬送部２０により搬送されてきた搬送媒体Ｓの、画像読取ユニット７０による画像の読み取りを開始し、読み取った画像を一次記憶して順次外部パソコンへ送信する。画像が読み取られた搬送媒体Ｓは第３搬送部３０により排出トレイ２に排出されてその搬送媒体Ｓの画像読取処理が終了する。
【００３５】
＜給送構造詳細＞
給送トレイ１１０には、配置される搬送媒体Ｓの大きさに合わせて搬送方向に対して直交する方向にスライド可能に取り付けられた規制部材１１１が設けられている。また、給送トレイ１１０の中央には、引き出して使用することのできる給紙延長トレイ１１２が設けられている。
【００３６】
＜上部ユニット詳細＞
図３は本発明の一実施形態に係る画像読取装置Ａの概略断面図である。本体１００は、上部ユニット１０３と下部ユニット１０４とから構成され、上部ユニット１０３は下部ユニット１０４に対し、本体ヒンジ１０５を支点として回動可能に取り付けられている。なお、本実施形態においては、本体ヒンジ１０５は第１ヒンジ１０１と同軸に設けられており、軸部材を共通としている。
【００３７】
図４に示すような上部ユニット１０３を展開した状態における重心は、図３に示すような上部ユニット１０３を収納した状態よりも搬送方向前方側に大きくずれることになる。
【００３８】
したがって、上部ユニット１０３を展開する際に勢いがあると画像読取装置Ａが転倒してしまう恐れがあるが、本実施形態に係る画像読取装置Ａにおいては、突出部１３０を有することにより、上部ユニット１０３の展開に伴う重心移動が起こっても画像読取装置Ａの転倒を防ぐことができる。突出部１３０の突出量は、図３のような上部ユニット１０３及び排出トレイ２の収納状態においては、排出トレイ２の下方に収まるような突出量であって、図４のような上部ユニット１０３の展開状態においては、本体１００の重心よりも搬送方向前方まで位置するような突出量となっている。これにより、上部ユニット１０３の展開による画像読取装置Ａの転倒を防止しつつ、排出トレイ２を収納した収納状態においては必要以上に突出させず、ユーザーの邪魔にならないようにすることができる。
【００３９】
＜上部ユニットのアース＞
図５は本発明の一実施形態に係る画像読取装置Ａの要部断面図である。上部ユニット１０３を収納する際に勢いよく回動させると、上部ユニット１０３が下部ユニット１０４側に接触する際に大きな衝撃が加わり、大きな音が発生してしまうなどすることがある。本実施形態に係る画像読取装置Ａにおいては、上部ユニット１０３の分離ローラ１２の両脇に、金属製の上部弾性部材１４０が設けられている。
【００４０】
上部ユニット１０３が収納状態となる際に、上部弾性部材１４０が下部ユニット１０４側に設けられた接点部１４１に弾性付勢されながら収納状態となる。上部弾性部材１４０の上部ユニット１０３に取り付けられる側の端部は、上部ユニット１０３内に設けられた電装部品のグラウンド側と導通しており、上部弾性部材１４０が接点部１４１に接触することによって下部ユニット１０４内に配置された電装部品のグラウンド側に導通される。
【００４１】
したがって、上部ユニット１０３の収納状態において、緩衝部材として機能する上部弾性部材１４０によって上部ユニット１０３側のアースを取ることができる。
【００４２】
＜ＣＩＳユニットのアース＞
図６は本発明の一実施形態に係る画像読取装置Ａの画像読取ユニット７０の断面図である。
【００４３】
本実施形態においては、画像読取ユニット７０は搬送路ＲＴの両側に対向させて配置しており、以下の説明ではそれぞれ画像読取ユニット７０ａ、７０ｂとする。画像読取ユニット７０ａと７０ｂとは、搬送路ＲＴを挟んで対象に配置された同構造を有するセンサユニットである
【００４４】
画像読取ユニット７０ａは、内部にコンタクトイメージセンサ（以下、ＣＩＳ）７１ａと、色基準板７２ａが設けられている。
【００４５】
下部ユニット１０４に配置されたＣＩＳ摺動モータ７３の駆動力を、画像読取ユニット７０下部に設けられた伝達部材７４および伝達部材連結部１５０を介して伝達することで、ＣＩＳ７１ａおよび色基準板７２ａは、搬送方向に対し摺動可能に配置される。ＣＩＳ７１ａおよび色基準板７２ａを摺動させることによって、背景色の切り替えが可能である（不図示）。
【００４６】
読取画像の背景色を白にする場合は、ＣＩＳ摺動モータ７３によってＣＩＳ７１ａを摺動させ、読み取り位置を対向する白色基準板７２ｂの位置に配置することにより白背景読取が可能となる。このとき、ＣＩＳ７１ａと白色基準板７２ａとが一体となって移動するので、ＣＩＳ７２ａを白背景位置に配置するとＣＩＳ７２ｂの読み取り位置と対向する位置に白色基準板７２ａが配置され、画像読取ユニット７０ａ、７０ｂの両方で白背景の読み取りが可能となる。
【００４７】
読取画像の背景色を黒にする場合はＣＩＳ７１ａの読み取り位置を対向する黒背景部７６ｂの位置に配置することにより黒背景の読み取りが可能となる。
【００４８】
ＣＩＳ７１ａ内の発光素子の発光を黒背景部７６ｂの斜面で拡散させ、ＣＩＳ７１ａ内の受光素子へ入光させないことで黒背景の読み取りを実現する。
【００４９】
画像読取ユニット７０ｂも画像読取ユニット７０ａ同様の構造であるが、ＣＩＳ７１ｂはＣＩＳ摺動モータ７３による駆動はされずに、ユニット内に固定されている。
【００５０】
画像読取ユニット７０ａは、下部ユニット１０４の収容部７７に挿入される際に、下部ユニット１０４側から突出した金属製の下部弾性部材７５を付勢しながら挿入され、収容完了位置において、嵌合固定される。
【００５１】
画像読取ユニット７０ａの下面は不図示の金属製部材７６で覆われており、ＣＩＳ７１ａなどの電装部品とアースが取られている。金属製部材７６で下部弾性部材７５を付勢しながら挿入されることで、画像読取ユニット７０は下部ユニット１０４に対しアースされる。
【００５２】
ここで、画像読取ユニット７０は、下部弾性部材７５によって上方に付勢されているため、嵌合固定を外すだけで画像読取ユニット７０が上方に持ち上げられ、画像読取ユニット７０の取り外しが容易となり、メンテナンス性を向上できる。
【００５３】
下部ユニット１０４の収容部７７は、下部ユニット１０４と対向する３面が構成されるように金属製板材を折り曲げて形成されている。
【００５４】
以上、本発明の実施形態について詳細に説明したが、本発明の範囲内にて種々の変更が可能であることは当業者にとって明らかである。
【００５５】
＜排紙構造＞
正面下部の下部パネル９１には排出開口９２が設けられており、第３搬送部３０によって搬送された搬送媒体Ｓが排出される。
【００５６】
図７は本発明の一実施形態に係る画像読取装置Ａの排出トレイ２を収納した状態の側面図である。また、図８は画像読取装置Ａの排出トレイ２を収納した状態の正面図である。
【００５７】
排出トレイ２は、図１を用いて説明したように、第１の排出トレイ１５１、第１の延長トレイ１５３、及び第２の延長トレイ１５４によって構成され、画像読取装置Ａに対してスライド（引き出し）可能に配置される。排出トレイ２を画像読取装置Ａに収納した状態及び画像読取装置Ａから引き出した状態において、排出開口９２は開放されており、搬送された搬送媒体Ｓの排出が可能となっている。排出トレイ２は、画像読取装置Ａから引き出された状態においては、排出された原稿を積載可能な位置まで引き出される。
【００５８】
また、図１０は排出トレイ２の斜視図である。第１の排出トレイ１５１は、矢印Ｂ１方向へスライド可能に画像読取装置Ａの本体１００に取り付けられている。また第１の排出トレイ１５１に第１の延長トレイ１５３がスライド可能に保持され、第１の延長トレイ１５３に第２の延長トレイ１５４がスライド可能に保持されている。第２の延長トレイは先端の中央部に指掛け形状１５４ｂを有する。
【００５９】
また、図１３、図１４は、後述する第１の展開状態、第２の展開状態を示す側面図である。ユーザーは指掛け形状１５４ｂを持ち後述の操作方法により排出トレイ２を操作することで第１の展開状態から第２の展開状態へ、また第２の展開状態から第１の展開状態へ変更することができる。なお、排出トレイ２の姿勢変更は、第１の排出トレイ１５１に第２の排出トレイ１５２を収容した状態で行っても良いし、図１３、１４に示すように、展開した状態で行っても良い。
【００６０】
ここで排出トレイ２の操作方法について説明する。排出トレイ２が本体１００に収納された状態から、排出トレイ２に設けられた指掛け形状１５４ｂを持って図１３に示すＢ１方向に引くと、第１の展開状態まで排出トレイ２を引き出すことができる。
【００６１】
この第１の展開状態において排出トレイ２の指掛け形状１５４ｂを持って排出トレイ２の先端を本体１００の載置面から離すように原稿の積載面側に持ち上げると、排出トレイ２が図１０などに示すヒンジ部１５１ｄを中心に回転する（図１４中  Ｂ２方向）。これにより排出トレイ２は更にＢ１方向に引き出せるようになり、排出トレイ２をＢ２方向に回転させた状態でＢ１方向に引くことで第２の展開状態まで排出トレイ２を引き出すことができ、第１の展開状態よりも排出トレイ２の先端が持ち上がった状態で保持することができる。
【００６２】
この動きを実現する構成について排出トレイ２の斜視図（図１０）と画像読取装置Ａの断面図（図９,１１,１２）を用いて説明する。
【００６３】
図１０に示すように、第１の排出トレイ１５１は幅方向両端にヒンジ部１５１ｄ、引き出し方向後端側に第１当接部１５１ｅと第２当接部１５１ｆ、クリック部１５１ｇを有する。第１当接部１５１ｅと第２当接部１５１ｆ、クリック部１５１ｇはそれぞれ排出トレイ１５１の引き出し方向における後端部側（上流側）に左右対称にそれぞれ幅方向の端部近傍に設けられている。第１当接部１５１ｅと第２当接部１５１ｆとは、第１の排出トレイ１５１の下面側から上面側に向けて突出する突出部に一体に設けられている。
【００６４】
図９は、図８の画像読取装置ＡをＡ−Ａ断面によって切断した断面図である。第１の排出トレイ１５１を、本体１００への収納状態と、引き出した状態（第１の展開状態）と、Ｂ２方向に持ち上げて更にＢ１方向に引き出した状態（第２の展開状態）とを合わせて表示している。画像読取装置Ａの底部１０２には、第１の排出トレイ１５１を操作した際に第１の排出トレイ１５１のヒンジ部１５１ｄが摺動する摺動面１０２ａが第１の排出トレイ１５１の収容部の内面に設けられている。
【００６５】
第１の排出トレイ１５１のヒンジ部１５１ｄは収納状態、第１の展開状態、第２の展開状態及び、これらの間の動きにおいて常に収容部の上面と下面とに設けられた摺動面１０２ａの間に挟まれており、排出トレイ２が第２の展開状態になった際には、ヒンジ部１５１ｄが画像読取装置Ａの底部１０２に設けられた抜け止め面１０２ｄに当接し、第１の排出トレイ１５１が画像読取装置Ａから外れてしまうことを防いでいる。摺動面１０２ａと抜け止め面１０２ｄは底部１０２の左右に対称に設けられている。
【００６６】
図１１は、図８の画像読取装置ＡをＢ−Ｂ断面によって切断した断面図である。第１の排出トレイ１５１を、収納状態と、引き出した状態（第１の展開状態）と、Ｂ２方向に持ち上げて更にＢ１方向に引き出した状態（第２の展開状態）とを合わせて表示している。
【００６７】
画像読取装置Ａの底部１０２に設けられた排出トレイ１５１の収容部には上面から下方に突出して突き当て部１０２ｅ（第１突き当て部）と回転止め部１０２ｆ（第２突き当て部）が一体の突出部として設けられている。
【００６８】
第１の排出トレイ１５１の、第１の展開状態においては、第１の排出トレイ１５１は第１の位置にあり、第１の排出トレイ１５１の第１当接部１５１ｅが画像読取装置Ａの収容部に設けられた突き当て部１０２ｅに突き当たっていて、第１の展開状態においては、それ以上第１の排出トレイ１５１をＢ１方向に引き出せなくなっている。
【００６９】
また、第１の展開状態においてヒンジ部１５１ｄを中心に第１の排出トレイ１５１をＢ２方向に回転させることにより、第１の排出トレイ１５１の第１当接部１５１ｅと画像読取装置Ａの底部１０２に設けられた収容部の突き当て部１０２ｅの当接状態が解除され、第１の排出トレイ１５１を更にＢ１方向に引き出すことができるようになっている。
【００７０】
この状態で、第１の排出トレイ１５１をＢ１方向に引き出すことで、第１の排出トレイ１５１が第２の位置となり、回転止め面１５１ｆ（第２当接部）が画像読取装置Ａの底部１０２の回転止め部１０２ｆ（第２突き当て部）に当接するようになり、第１の排出トレイ１５１のＢ２方向と逆方向への回転が規制され、第１の排出トレイ１５１の先端が持ち上がった状態で保持される第２の展開状態となる。
【００７１】
ここで、画像読取装置Ａの底部１０２の突き当て部１０２ｅは円弧状の形状をしており、第１の排出トレイ１５１の第１当接部１５１ｅと画像読取装置Ａの底部１０２の突き当て部１０２ｅとが当接した状態において、第１の排出トレイ１５１の回動中心である円柱状のヒンジ部１５１ｄと画像読取装置Ａの底部１０２の円弧状の突き当て部１０２ｅの円の中心位置とが一致するようになっている。これにより第１の排出トレイ１５１をＢ２方向へ回転させる際にスムーズに排出トレイ２を操作できるようになっている。
【００７２】
図１２は、図８の画像読取装置ＡをＣ−Ｃ断面によって切断した断面図である。第１の排出トレイ１５１を、収納状態と、引き出した状態（第１の展開状態）と、Ｂ２方向に持ち上げて更にＢ１方向に引き出した状態（第２の展開状態）とを合わせて表示している。画像読取装置Ａの底部１０２には、第１の排出トレイ１５１を引き出し操作した際にクリック部１５１ｇが乗り越える凸形状１０２ｂ、１０２ｃが設けられている。
【００７３】
第１の排出トレイ１５１の収納状態においてクリック部１５１ｇは凸形状１０２ｂに引っ掛かっており、第１の排出トレイ１５１が自重や衝撃により簡単に飛び出してこないようにしている。
【００７４】
また、第１の排出トレイ１５１を引き出す時と収納する時にクリック部１５１ｇが凸形状１０２ｂを乗り越えることによりユーザーにクリック感を感じさせることができる。
【００７５】
また、第１の排出トレイ１５１の第１の展開状態においてクリック部１５１ｇは凸形状１０２ｃに引っ掛かって収納状態側に第１の排出トレイ１５１が移動しないようになっている。これにより、排出トレイ１５１が自重や衝撃により簡単に引っ込んでしまわないようにしている。
【００７６】
また、第１の排出トレイ１５１を第１の展開状態から収納する時と、第１の展開状態に延長する際に、クリック部１５１ｇが凸形状１０２ｃを乗り越えることによりユーザーにクリック感を感じさせることができる。
【００７７】
ここで第１の排出トレイ１５１のクリック部１５１ｇの凸形状１０２ｃとの摺動部には円弧形状１５１ｇ１が上向きに凸となるように設けられており、この円弧形状１５１ｇ１と排出トレイ１５１のヒンジ部１５１ｄの円の中心位置が同じになるように設定されている。これにより、排出トレイ２を第１の展開状態からＢ２方向に回転させた時にクリック部１５１ｇと凸形状１０２ｃとの当接が解除されず、排出トレイ１５１の角度を調整している最中に排出トレイがＢ１方向の反対方向に引っ込んでしまうのを防止でき、また、排出トレイ１５１のクリック部１５１ｇが凸形状１０２ｃにより過剰に押され、クリック部１５１ｇが破損してしまうことを防いでいる。
【００７８】
図１３、１４は、第１の展開状態、第２の展開状態において第１の延長トレイ１５３及び第２の延長トレイ１５４を展開した状態を示す側面図である。図１３及び図１４に示すように、搬送媒体Ｓは矢印Ｆ方向に排出され、排出トレイ２上に着地する。
【００７９】
搬送媒体Ｓの厚さが薄い場合、図１３のように排出トレイ２の積載面が画像読取装置Ａの本体１００の載置面となす傾斜角度が緩やかであれば排出トレイ２上に搬送媒体Ｓの先端が着地した時に抵抗が小さいため、先端が丸まることなく排出できる。
【００８０】
一方、図１４のように排出トレイ２の積載面の本体１００の載置面に対する傾斜角度を急にすることにより、排出済みの搬送媒体Ｓの後端を矢印Ｇ方向に寄せる作用が働く。これにより、排出済みの搬送媒体Ｓの後端と排出開口９２との隙間が狭まるため、排出済みの搬送媒体Ｓの上面に、後続の搬送媒体Ｓの先端を確実に着地させることができる。このような構成により、サイズが異なる搬送媒体Ｓが混在した束を排出する時などに、排出トレイ２上における排出済みの搬送媒体Ｓの整列性を向上することができる。このように、搬送媒体Ｓのサイズや厚さによって第１の展開状態と第２の展開状態を使い分けることができ、様々な種類の搬送媒体Ｓを排出可能となる。また、本構成であれば、図１０などを用いて説明した指掛け形状１５４ｂの上には、排出される原稿が積載されないため、原稿が排出されてからでも排出トレイ２の展開状態の変更が可能となる。
【００８１】
第３搬送部３０により搬送されてきた搬送媒体Ｓは、排出開口９２を経て第１の排出トレイ１５１上に排出され、搬送媒体Ｓのサイズによっては第１の排出トレイ１５１から引き出された第１の延長トレイ１５３、第２の延長トレイ１５４まで到達し、案内される。
【００８２】
また、第２の排出トレイ１５２には、排出位置調整部材１５５が回動可能に設けられており、搬送媒体Ｓの搬送方向に対する長さに応じて引き出された各延長トレイに対し、起立状態に回動させることで搬送媒体Ｓが停止する位置を調整し、排出された搬送媒体Ｓを散らばりにくくして整列性を向上できる。
【００８３】
（実施例２）
以下に、図１５を用いて、本発明の第２の実施例について説明する。本実施例においては、実施例１における排出トレイの角度調整機構を、画像読取装置Ａの本体１００に設けられた給紙口に給紙する原稿を支持する給紙トレイに適用したものである。なお、実施例１と同じ構成については説明を省略し、異なる部分についてのみ説明する。また、同様の構成については同じ符号を用いる。
【００８４】
図１５には、本実施例に掛かる画像読取装置Ａの断面図を示している。本実施例においては、給紙トレイ１に対して延長可能な給紙延長トレイ２５１を設けており、給紙延長トレイ２５１を給紙トレイ１から延長する際に、給紙延長トレイが収納状態、第１の展開状態、第２の展開状態を取ることができる。
【００８５】
給紙延長トレイ２５１は、給紙トレイ１に収納された収納状態から、本体１００の斜め上方に向けて引き出されることで、第１当接部２５１ｅが給紙トレイ１に設けられた第１突き当て部２０２ｅと当接することで位置決めされ、第１の展開状態となり、その上面に原稿積載面が形成される。
【００８６】
この第１の展開状態において、原稿積載面側に給紙延長トレイ２５１を持ち上げることによって、実施例１同様に、第１突き当て部２０２ｅが設けられた突出部２６０と第１当接部２５１ｅとの当接状態が解除され、給紙延長トレイ２５１をさらに斜め上方に引き出し可能となる。そして、斜め上方に引き出されることによって、給紙延長トレイ２５１の第２当接部２５１ｆが、突出部２６０に設けられた第２突き当て部２０２ｆと当接し、給紙延長トレイ２５１の回動が規制され、第２の展開状態となる。
【００８７】
この第２の展開状態においては、第１の展開状態よりも、給紙延長トレイ２５１が本体１００の載置面となる角が大きくなり、すなわち、給紙延長トレイ２５１に積載された原稿が給紙口内に進入しやすくなる。
【００８８】
このように、給紙延長トレイ２５１を引き出す動作のみによって、原稿の給紙性能を向上することができる。なお、本実施例においては、実施例１と同様に、給紙延長トレイ２５１の先端に指掛け形状２５４ｂを設けているため、給紙延長トレイ２５１に原稿が積載された状態にあっても、給紙延長トレイ２５１を引き出すことで給紙延長トレイ２５１の角度を変更することができ、原稿を連続給紙している途中でも給紙性能を変更することができる。
【００８９】
本実施例においては、原稿が搬送される搬送路が、画像読取装置Ａの載置面に対して斜めに傾斜したものについて例示したが、いわゆるＵターンパスの搬送路を有し、給紙トレイが画像読取装置Ａの載置面と略平行となる画像読取装置に対しても好適に適用できる。
【符号の説明】
【００９０】
Ａ  画像読取装置
Ｓ  搬送媒体
１  載置台
２  排出トレイ
３  駆動部
４  駆動部
５  伝達部
１０  第１搬送部
１１  送りローラ
１２  分離ローラ
２０  第２搬送部
３０  第３搬送部
７０  画像読取ユニット
８０  制御部
９０  正面パネル
１００  本体
１００ａ  凹部
１００ｂ  突き当て部
１０２  底部
１０２ａ  摺動面
１０２ｂ  凸形状（収納時用）
１０２ｃ  凸形状（展開時用）
１０２ｄ  抜け止め面
１０２ｅ  突き当て部
１０２ｆ  回転止め面
１２２  操作キー群
１５１  排出トレイ
１５１ｄ  ヒンジ部
１５１ｅ  第１当接部
１５１ｆ  第２当接部 
１５１ｇ  クリック
１５３  第１の延長トレイ
１５４  第２の延長トレイ
１５４ｂ  指掛け形状
【図１】
2020164293.tif 000003
【図２】
2020164293.tif 000004
【図３】
2020164293.tif 000005
【図４】
2020164293.tif 000006
【図５】
2020164293.tif 000007
【図６】
2020164293.tif 000008
【図７】
2020164293.tif 000009
【図８】
2020164293.tif 000010
【図９】
2020164293.tif 000011
【図１０】
2020164293.tif 000012
【図１１】
2020164293.tif 000013
【図１２】
2020164293.tif 000014
【図１３】
2020164293.tif 000015
【図１４】
2020164293.tif 000016
【図１５】
2020164293.tif 000017